(57)【要約】【課題】    本発明は照明システム、特に照明器具が透明な平面シートの間に位置する照明システムに関する。【解決手段】照明器具１は、少なくとも一つの発光ダイオード（ＬＥＤ）３と各々の照明に電力を供給するためのワイヤー１３と、空間的に隔てられた一対のプレート２および２’と、少なくとも一つの磁石４および４’と、前記プレートの間に位置し前記プレートを離れた状態に付勢する圧縮バネ８と、一対のプレートの一方に付着した磁石４とを有する。照明器具を使用する際には照明システムの一部として使用し、照明システムのその他の構成要素は、空間的に隔てられた透明なシートであるガラスの窓枠１０などである。【選択図】  図１
2008530749.tif 000002
【特許請求の範囲】
【請求項１】
少なくとも一つの照明と、
各照明に電力供給する手段と、
一対の空間的に隔てられたプレートと、
前記プレートと離隔された前記プレートとを付勢する付勢手段との間に位置し、一対のプレートの一方に付着している少なくとも一つの磁石とを備える照明器具。
【請求項２】
少なくとも一つの磁石を一対のプレートの一方に有し、少なくとも一つの磁石を一対のプレートのうち他方が有する請求項１に記載の照明器具。
【請求項３】
少なくとも一つの照明が前記一対のプレートによって支持された照明マウント上に備え付けられた請求項１または２に記載の照明器具。
【請求項４】
多数の照明を有する請求項１から３に記載の照明器具。
【請求項５】
前記少なくとも一つの照明は発光ダイオードである請求項１から４のいずれか一項に記載の照明器具。
【請求項６】
前記一対のプレートの各々に形成された少なくとも一つの磁石のハウジング、又は一つのプレートの各々の磁石のハウジングでもう一方のプレートの磁石のハウジングとそろえられ、磁石は一つの又は両方の磁石のハウジング内に位置する請求項１から５のいずれか一項に記載の照明器具。
【請求項７】
磁石は磁石のハウジングの一対のプレートの一つの内部に位置し、プレートは摺動自在に設置されるように一対のプレートのうち他方の磁石のハウジング内に磁石が付着している請求項６記載の照明器具。
【請求項８】
少なくとも一つの付勢手段のハウジングは前記一対のプレートの各々の内部に形成された、又は各々の付勢手段のハウジングの一方のプレートは他方のプレートの付勢手段のハウジングとそろえられており、付勢手段は各々の付勢手段のハウジング内に設置されている請求項１から７のいずれか一項に記載の照明器具。
【請求項９】
一つ又は各々の付勢手段は互いに間隔を広げ、一対のプレートの各々の付勢手段のハウジング内部に位置する請求項６に記載の照明器具。
【請求項１０】
一つ又は各々の付勢手段は圧縮バネからなる請求項７に記載の照明器具。
【請求項１１】
照明への電力供給を接続あるいは切断するスイッチをさらに有する請求項１から１０のいずれか一項に記載の照明器具。
【請求項１２】
スイッチは重力スイッチ又は水銀リードスイッチである請求項１１に記載の照明器具。
【請求項１３】
プレートは透明なプラスチック又は不透明なプラスチック材料からなる請求項１から１２のいずれか一項に記載の照明器具。
【請求項１４】
請求項１から１３に記載した照明器具を有する照明システムおよび照明器具移動手段。
【請求項１５】
照明器具移動手段は少なくとも一つの磁石を有し、少なくとも一つの前記磁石が照明器具の磁石とそろえられているとき、前記照明器具と移動手段は互いに引き合う請求項１４に記載の照明システム。
【請求項１６】
前記移動手段は二つの面を有し、移動手段の二つの表面の各々は前記磁石の磁性面を有し、少なくとも一つの磁石は二つの表面を軸方向に広げる請求項１５に記載の照明システム。
【請求項１７】
一対の空間的に隔てられ、透明またはマジックミラーであるシートで、各シートは電力を照明器具へと供給する導電層を有し、
照明器具はシートの間に移動可能に備え付けられ、付勢手段はプレートの外表面とシートの内表面を接触可能にしている請求項１４から１６のいずれか一項に記載の照明システム。
【請求項１８】
照明器具の磁石による移動手段を調節する方法は、プレートの一つを移動方向へ引っ張り、シートの一つの内表面から前記付勢手段の付勢力を減少させる請求項１７に記載の照明システム。
【請求項１９】
照明器具の移動手段はレンズユニットである請求項１４から１８のいずれか一項に記載の照明システム。
【請求項２０】
複数の照明器具と一つのレンズユニットからなる請求項１４から１９のいずれか一項に記載の照明システム。
【請求項２１】
複数の照明器具と複数のレンズユニットからなる請求項１４から１９のいずれか一項に記載の照明システム。
【請求項２２】
請求項１４から１９に記載の照明システムを形成し、請求項１から１３のいずれか一項に記載の照明器具に電力を供給するステップを有する照明方法。
【請求項２３】
レンズユニットを照明器具とそろえ、照明器具を動かすことによってレンズユニットを動かす請求項２０に記載の照明方法。
【請求項２４】
明細書に記載、または図示して述べられた照明システム。
【発明の詳細な説明】
【技術分野】
【０００１】
本発明は照明システム、特に照明器具が透明な平面シートの間に位置する照明システムに関する。
【背景技術】
【０００２】
低電圧の照明は商業施設や家庭で使用され、通常は照明効果をもたらす。典型的には、低電圧の照明ユニットは照明の必要なエリア内に位置し、配線されて組み立てられた構造物から構成される。一度設置されると照明ユニットは固定して使用され、再設置されることはほとんどない。
【０００３】
電力供給に対して照明ユニットを移動するよりも柔軟性のある低電圧の照明ユニット使用方法を探るという試みがなされてきた。
ＤＥ１９８２６５３０には低電圧ランプをスライド可能にレールに固定した照明ユニットが開示されている。ランプはレール上のどこからでも電力供給を受けられるようになっている。一旦使用者がランプの位置を決定すると、ランプとレールとの間に働く磁力によってランプはその場所に固定される。
【０００４】
ＤＥ４０１４８１８には一つ若しくはそれ以上のランプを支持し、電力を供給する低電圧の平行な導体レールを含む照明システムが開示されている。ランプはレールに沿って移動可能で、電源との接触面を形成する棒状の磁石によって固定されている。
【０００５】
別の照明装置がフランスの特許出願第２，８３６，９８５に開示されている。この特許出願の照明装置は導電性の透明な面と他の導電性の面との間に照明器具が設置されている。電力を供給するそれぞれの導電性の面の間に照明器具は設置されている。照明器具は前記導電性の面との間に電気的な接触面を一つずつ、すなわち合計二つ有する。接触面のひとつは電球フィラメントとの軽い接触からなる。照明器具は支持板に隣接した少なくとも一つの磁石を有する。照明ユニットは支持板の他の側以外に位置を合わせてある照明器具の磁石を用いて設置されている。照明器具は支持板の他の側にある磁石が動くことによって移動可能で、固定部が備えられている。
ここに、照明の配置に関しての改良余地がある。
【発明の開示】
【発明が解決しようとする課題】
【０００６】
本発明の第一の態様によると、請求項１に記載された照明器具が規定されている。
本発明の第二の態様によると、請求項１４に記載された照明システムが規定されている。
本発明の第三の態様によると、請求項２０に記載された照明方法が規定されている。
照明器具の電源は低電圧の直流電源もしくはイギリスの２４０ボルト６０ヘルツの交流電源である。
【課題を解決するための手段】
【０００７】
本発明の照明システムは簡便な照明手段、すなわち照明器具が透明なシートの間に設置され、照明器具を有するシートの外側に位置する整列した磁石によって容易に移動することを開示している。透明なシートの外側に位置する磁石は照明器具の一部を形成する磁石と引き合う。磁石の引き合う力によって、透明なシートの一つの内表面と照明を固定しているプレートの一部との接触面が引き離される。これにより、照明器具はシートの間の空間に再び配置される。照明器具が単純に回転することによって、スイッチを切り替え可能にしたものが重力スイッチである。
【発明を実施するための最良の形態】
【０００８】
図１を参照する。照明器具１は一対の間隔を隔てたガラスの窓枠１０の間に設置されている。ガラスの窓枠は導電部を有する。例えば、各ガラスの窓枠の内表面は導電層９によってコーティングされている。照明器具１は複数の発光ダイオード（ＬＥＤ）３を有する。プレート２および２’の中央部分は切り取られ、複数のＬＥＤを固定されたリング１１を有する。リング１１の厚さは外壁であるプレート２と２’との間の距離よりもやや小さい。窓枠１０の導電性の内表面に接触する寸法に設計された電気接続部１２にもリング１１は取り付けられている。電源は電気接続部１２とワイヤー１３を介してＬＥＤに供給される。電気接触部１２は単一の導電性ポリマーからなっても良い。
【０００９】
図１から図３を参照する。磁石４および４’はプレート２および２’の凹部５に設置されている。磁石４および４’はプレート２および２’のそれぞれ一方に接着されている。特に、磁石４はプレート２に、磁石４’はプレート２’に接着されている。プレート２および２’は図２に示したように配列した更なる凹部７を有する。凹部７には圧縮バネ８が位置し、プレート２と２’とが隔たるように維持する。圧縮バネ８はスポンジやプラスチック材料から構成されても良い。圧縮バネ８がプラスチック材料からなる場合、圧縮バネ８はプレート２および２’の一方の真空部の一部として形成されても良い。
【００１０】
図４および図５は照明器具がレンズユニット１５の形をとって移動する様子を図示したものである。レンズユニット１５は背面板１７に貼り付けられたレンズ１６を有する。レンズ１６は磁石１９を設置された凹部１８を有する。磁石１９はレンズ１６に一方を、背面板１７に他方を取り囲まれている。あるいは、レンズユニット１５は内部に磁石１９を埋め込む単一部材として成型されてもよい。
【００１１】
図６に図示したように、レンズユニット１５はガラスの窓枠１０の外側に取り付けられ、照明器具１とそろえられている。レンズユニット１５の磁石１９は照明器具１の磁石４および４’と引き合う。この構成において、凹部５’の外表面はガラスの窓枠１０の内表面から引き離され、反対にバネ７の力が加わるのでプレート２’は曲げられる。この摩擦の減少によって、人がレンズユニット１５をつかんだり動かしたりしても照明器具１はガラスの窓枠１０に挟まれた空間内を十分に移動することができる。
レンズユニット１５が取り除かれると、バネ７の作用によってプレート７および７’は引き離されるので、凹部５および５’の外表面はガラスの窓枠１０の内表面に押し付けられる。
【００１２】
図９は照明器具の移動手段における第２実施例を図示している。レンズ１５’の形態において、磁石１９’の両側は照明ユニットとそろえられていてもよい。磁石１９の磁性面は各々、Ｎ極およびＳ極を有する。同様に、磁石４および４’もそれぞれＮ極およびＳ極を有する。ガラスの窓枠１０のそれぞれの面にレンズ１５の一方、あるいは別の一方を設置することによって、図９のレンズ１５’はガラスの窓枠１０の一方の面から他の面へ照明ユニットを移動させるように使用可能である。
【００１３】
図７および図８に図示された照明器具２０は、スイッチ２１を有する。スイッチは開と閉の位置を移動可能なボールベアリング２２によって形成されている。スイッチは照明器具２０が回転する際にスイッチ部分の位置が変わることによって操作される。スイッチ２１は上死点２３との角度が９０度よりも小さいときに閉となり、ＬＥＤに電力が供給される。スイッチ２１が下死点２４との角度が９０度よりも小さいときには開となり、ＬＥＤはオフとなる。重力スイッチとは、照明器具が単に回転することによってオンとオフが切り替わるものである。このスイッチは水銀リードスイッチによって形成されてもよい。
【００１４】
例えば、ＬＥＤはバッテリーや変圧器を通る手段によって電力供給される。本願にかかる照明システムは、集熱器が太陽エネルギーを集めて電気へと変換することを包含してもよい。そのような電力は、充電式バッテリーのような適切な貯蔵装置に貯蔵され、外部が暗くなったときにＬＥＤに使用される。
【００１５】
使用に際して、照明システムは間に多数の照明器具を設置され、空間的に隔てられている二つのガラスの窓枠１０を有してもよい。各照明器具１はレンズユニット１５に設置され、あるいは、ひとつもしくは複数の照明器具１はレンズユニット１５に設置されてもよい。他の照明ユニットを移動するときなど、照明器具の数よりも少ないレンズが設置されている場合には、レンズユニット１５を照明器具１から取り外して他の照明器具に移動させる必要がある。あるいは、照明器具の移動手段はレンズではなく、単に照明器具を特定の位置から別の位置へ移動させてもよい。この場合は通常、移動手段の数は照明器具の数よりも少なくなる。
【図面の簡単な説明】
【００１６】
【図１】ガラスの窓枠の間に設置された本発明の照明システムの略図。
【図２】図１に示した照明システムの有する照明器具の断面図。
【図３】図２および図３に示した照明器具の正面図。
【図４】図１に示した照明システムのレンズの側面図。
【図５】図４に示したレンズの正面図。
【図６】図１に示した照明システムの断面図。
【図７】第１実施形態における照明器具の正面図。
【図８】スイッチの略図。
【図９】第２実施形態におけるレンズの側面図。
【符号の説明】
【００１７】
１：照明器具、２：プレート、３：発光ダイオード（ＬＥＤ）、４：磁石、５：凹部、７：凹部、８：圧縮バネ、９：導電層、１０：窓枠、１１：リング、１２：電気接触部、１５：レンズユニット、１６：レンズ、１７：平面版、２１：スイッチ、２２：ボールベアリング、２３：上死点、２４：下死点
【図１】
2008530749.tif 000003
【図２】
2008530749.tif 000004
【図３】
2008530749.tif 000005
【図４】
2008530749.tif 000006
【図５】
2008530749.tif 000007
【図６】
2008530749.tif 000008
【図７】
2008530749.tif 000009
【図８】
2008530749.tif 000010
【図９】
2008530749.tif 000011
【国際調査報告】
2008530749.tif 000012
2008530749.tif 000013
2008530749.tif 000014